(57)【要約】      （修正有）【課題】構造が簡単で精巧、部品の少ない使用便利な、改良されたコネクタの構造を提供する。【解決手段】各々遊び防止装置を備え、相対して結合した２つのコネクタよりなり、その中の１つの外縁部には保護用ジャケット３０が緩やかに套設され、ジャケットの入口端部には少なくとも１つのオープン・スロット３２が垂直方向に開設され、且つ内側に延伸して１つの折返し角部を形成している。他の１つのコネクタの外縁部のオープン・スロットと対応する位置に、オープン・スロットと同数のスタッド１３が設けてあり、両（オスとメス）コネクタが互いに結合した後、保護用ジャケットを旋回してスタッドをオープン・スロットに滑り込ませて、しっかり嵌合する仕組になっている。【選択図】図２
0003165644.tif 000002
【実用新案登録請求の範囲】
【請求項１】
遊び防止装置を備え、相対して結合した2つのコネクタからなり、その中の1つのコネクタの外縁部には、保護用のジャケットが緩やかに套設され、前記ジャケットの入口端部には少なくとも1つのオープン・スロットが垂直に形成され、他のコネクタの外縁部の前記オープン・スロットと対応する位置に、前記オープン・スロットと同数のスタッドを突設していることを特徴とする、改良されたコネクタの構造。
【請求項２】
前記保護用ジャケットの入口端部に垂直に凹設された、少なくとも1つのオープン・スロットは、2つに相対して設けられていることを特徴とする、請求項1に記載の改良されたコネクタの構造。
【請求項３】
前記保護用ジャケットのオープン・スロットは、下に向って延伸して凹設された後、側方に延伸して1つの折り返し角部を形成し、折り返し角部の底縁部には、更に1つの弾性を持たすための開孔が設けられたことを特徴とする、請求項1に記載の改良されたコネクタの構造。
【考案の詳細な説明】
【技術分野】
【０００１】
本考案は改良されたコネクタの構造に関するもので、詳しく言えば、2つの接続されたコネクタが、ふいに脱離することを有効に防止でき、電気導線の接続、電気信号線の接続、その他類似の電線の接続に適用できる、改良されたコネクタの構造に関するものである。
【背景技術】
【０００２】
科学技術の迅速な発展に伴い、色々な進歩した便利な電気器具が大量に使用されるようになってきた。これら電気器具の運用の正常を期すため、信頼度の高い電源や制御信号の供給が必要となる。通常の方法として器具の電源プラグを直接市電のコンセントに挿し込むかまたは、2つの互いに接続したコネクタを介して、他の電気器具の電源に接続されても良い。制御信号もまた、2つのコネクタを結合した方式で、電気を供給できるのである。従来の方式はただ、プラグをコンセントに挿しこむか、または2つのコネクタを結合して電気を供給する。このようなコネクタにはなんら保護手段が施されていないので、不注意のため、リード線（例えばコード）などを引き絡らんだ場合、プラグとコンセント、または両コネクタ同士の結合が脱離して、電気の供給が中断し、不便である。
【０００３】
このため、色々なコネクタの脱落防止装置が考案されている。例えば台湾特許第Ｍ３７２５７２号の「コネクタの脱落防止構造」、台湾特許第Ｍ３５３２８６号の「改良された快速コネクタの構造」などがあり、みな、不注意によりコードなどが絡まれタ場合のコネクタの脱離防止を目的としている。然るに上記のコネクタ脱離防止装置は、概して構成部品が多すぎ、組立てが煩雑で未だ理想的とはいえない。
【０００４】
以上の事情に鑑み、このような欠点を改善せんがため、本願の考案者は長年苦心研鑽の結果、消費者が安心して使用できる、本考案に係る改良されたコネクタの構造の開発に成功したのである。
【先行技術文献】
【特許文献】
【０００５】
【特許文献１】台湾特許第Ｍ３７２５７２号公報
【特許文献２】台湾特許第Ｍ３５３２８６号公報
【考案の概要】
【考案が解決しようとする課題】
【０００６】
構造が簡単で精巧、部品の少ない使用便利な、改良されたコネクタの構造の提供を本考案の主な目的とする。
【０００７】
不注意により電線やコードを引き絡んだ場合、コネクタの脱離を防止できる、改良されたコネクタの構造の提供を本考案の次の目的とする。
【課題を解決するための手段】
【０００８】
上記の目的を達成せんがため、本考案に係る改良されたコネクタの構造は遊び防止装置を備えた、2つの互いに結合したコネクタよりなっている。その中の1つコネクタの外縁部には保護用のジャケットが緩やかに套設されていて、このジャケットの入口の端部には、少なくとも1つのオープン・スロットが垂直方向に開設されている。オープン・スロットは内側に向って延設され、1つの折り返し角部が形成されている。他のコネクタの外縁部にはこれに対応してオープン・スロットと同数のスタッド（stud）が突設されている。2つのコネクタを互いに結合してジャケットを捻じ込んで覆い、スタッドをオープン・スロットに沿って滑らせ、しっかり嵌合させれば、2つのコネクタの不意の脱離を確かに防止できる。
【０００９】
上記の改良されたコネクタの構造には、保護用のジャケットの入口端部に2つのオープン・スロットが相対して設けられている。
【００１０】
上記の改良されたコネクタの構造の保護用ジャケットのオープン・スロットは、下に向って或る距離延長した後、側方に延伸して1つの折り返し角部を形成している。
【００１１】
上記の改良されたコネクタの構造には、その保護用ジャケットのオープン・スロットの折り返し角部の底縁部に、弾性を持たすため1つの孔が開設されている。
【図面の簡単な説明】
【００１２】
【図１】本考案の実施例の立体外観図である。
【図２】本考案の実施例の部品分解図である。
【図３】本考案の実施例の操作説明図である。
【図４】本考案の他の実施例における操作説明図である。
【考案を実施するための形態】
【００１３】
本考案に係るその他の特徴と優点は、以下の図面を参照して本考案の実施例の説明をご覧になっていただきたい。
【００１４】
図1と図2を参照しよう。本考案に係る改良されたコネクタの構造には互いに対向して結合したオス・コネクタ10、メス・コネクタ20及び保護用ジャケット30が含まれている。オス・コネクタ10の結合端子11の周縁上には同方向に遊び防止突起12が設けられ、オス・コネクタ10のプラスチック材の表面には1つのマーク14があり、このマーク14は遊び防止突起12が設置されている位置を指している。オス・コネクタ10のプラスチック材上、結合端子１１近くの相対した両側面には各々1つのスタッド（stud）13が形成されている。
【００１５】
メス・コネクタ20のターミナル・ラグ21はプラスチック材中に凹設され、ターミナル・ラグ21の周縁部には縦軸の方向に、1つの遊び防止凹槽22が設けられ、また、メス・コネクタ20のプラスチック材上面には、1つの遊び防止の凹槽22を指さしたマーク23が設けられている。
【００１６】
保護用ジャケット30は1つの短い中空チューブ状をなし、その1端の縁部には少なくとも1つのオープン・スロット32が垂直に開設されている。本実施例においてはオープン・スロット32は2つ相対した位置に開設され、このオープン・スロット32は、一旦、垂直に内部に向って１小距離凹設された後、側方向に延設されて、1つの折り返し角部321を形成している。また、この折り返し角部321の底縁部には更に1つの弾性を持たすための開孔31が設けられている。
【００１７】
ジャケット30は緩やかな状態でメス・コネクタ20上に套設されている。図3に示すように、オス・コネクタ10のマーク14とメス・コネクタ20のマーク23は互いに対向して設け、結合端子11上の遊び防止用突起12がターミナル・ラグ21の遊び防止凹槽22と対応するようにしなければならない。保護用ジャケット30は緩やかに取り付けられているため、その上にあるオープン・スロット32は必ずしも丁度、オス・コネクタ10のスタッド13と対応の位置に来るとは限らず、故にジャケット30を廻して、オープン・スロット32とスタッド13の位置を合わせ、オス・コネクタ10に力を施し、結合端子11と2本のスタッド13を各々、ターミナル・ラグ21とジャケット30のオープン・スロット32に嵌合させ、更にジャケット30を旋回して、スタッド13を横方向にオープン・スロット32の折り返し角部321に抵触させて、コネクタの脱離防止装置を完成するのである。
【００１８】
保護用ジャケット30は必ずしも、メス・コネクタ20の上に套設するよう限定するものではなく、オス・コネクタ10の上に套設してもよい。また、2本のスタッド13をメス・コネクタ20のプラスチック材の前端縁部に設け、マーク23をオス・コネクタ10のマーク14の前縁部に設けても、同様にコネクタの脱離防止の効果を達成できるものである。
【００１９】
以上詳細な説明は、本考案の実行可能な実施例についての具体的説明である。但し、これらの実施例は本考案の請求範囲を制限するものではなく、凡そ本考案の技術精神を逸脱せずになされた同等効果の実施または変更は、全て本考案の請求範囲内に含まれるものとする。
【符号の説明】
【００２０】
10：オス・コネクタ
11：結合ターミナル
12：遊び防止突起
13：スタッド
14：マーク
20：メス・コネクタ
21：ターミナル・ラグ
22：遊び防止凹槽
23：マーク
30：保護用ジャケット
31：開孔
32：オープン・スロット
321：折り返した角部
【図１】
0003165644.tif 000003
【図２】
0003165644.tif 000004
【図３】
0003165644.tif 000005
【図４】
0003165644.tif 000006